(57)【要約】【課題】ヒンジピンの交換の容易化を図る。【解決手段】固定枠１がアルミニウム合金またはマグネシウム合金などの軽金属を原料とし前後方向に貫通する方形開口を囲む形状に形成され、固定枠１を前側から見た場合の左下部には下前左突起部４２が裏側から前側に突出する半筒状に設けられ、下前左突起部４２の上壁４２ｂには圧入孔４２ｄが上下方向への貫通孔として設けられ、ヒンジピン５０は丸棒なるヒンジ部５０ａとヒンジ部５０ａの下部から径方向外側に突出する鍔部５０ｂと鍔部５０の中心から下方に突出する棒なる圧入部５０ｃとを備え、圧入部５０ｃが上壁４２ｂの上方から圧入孔４２ｄに圧入されることによって、圧入部５０ｃが上壁４２ｂに締り嵌めに取り付けられ、鍔部５０ｂの下面が上壁４２ｂの上面に接触し、ヒンジ部５０ａが下前左突起部４２よりも上方に突出し、ヒンジピン５０が下前左突起部４２の上壁４２ｂに取り付けられている。【選択図】図１
2007195649.tif 000002
【特許請求の範囲】
【請求項１】
アルミニウム合金またはマグネシウム合金などの軽金属を原料とし、前後方向に貫通する方形開口を囲む形状に形成された固定枠であって、固定枠の左下部には下前左突起部が設けられ、下前左突起部は前側に突出する弧状周壁と弧状周壁で囲まれた上部開口を塞ぐ上壁と弧状周壁で囲まれた下部開口を塞ぐ下壁とによって構成され、上壁には圧入孔が上下方向への貫通孔として設けられ、ヒンジピンがヒンジ部と鍔部および圧入部を上方から下方に順に備え、ヒンジ部が丸棒として構成され、鍔部がヒンジ部の下部から径方向外側に突出する板状に構成され、圧入部が鍔部の中心から下方に突出する棒として構成され、圧入部が上壁の上方から圧入孔に圧入され、鍔部の下面が上壁の上面に接触し、ヒンジ部が下前左突起部よりも上方に突出し、ヒンジピンが下前左突起部の上壁に取り付けられたことを特徴とする遊技機の固定枠。
【請求項２】
アルミニウム合金またはマグネシウム合金などの軽金属を原料とし、前後方向に貫通する方形開口を囲む形状に形成された固定枠であって、固定枠の左下部には下前左突起部が設けられ、下前左突起部は前側に突出する弧状周壁と弧状周壁で囲まれた上部開口を塞ぐ上壁と弧状周壁で囲まれた下部開口を塞ぐ下壁とによって構成され、上壁には取付孔が上下方向への貫通孔として設けられ、ヒンジピンがヒンジ部と鍔部および取付部を上方から下方に順に備え、ヒンジ部が丸棒として構成され、鍔部がヒンジ部の下部から径方向外側に突出する板状に構成され、取付部が鍔部の中心から下方に突出する棒として構成され、取付部には溝が設けられ、取付部が上壁の上方から取付孔に挿入され、止輪が固定枠の裏側から溝に装着されてヒンジピンが下前左突起部の上壁に取り付けられたことを特徴とする遊技機の固定枠。
【請求項３】
アルミニウム合金またはマグネシウム合金などの軽金属を原料とし、前後方向に貫通する方形開口を囲む形状に形成された固定枠であって、固定枠の左下部には下前左突起部が設けられ、下前左突起部は前側に突出する弧状周壁と弧状周壁で囲まれた上部開口を塞ぐ上壁と弧状周壁で囲まれた下部開口を塞ぐ下壁とによって構成され、上壁には取付孔が上下方向への貫通孔として設けられ、ヒンジピンがヒンジ部と鍔部および取付部を上方から下方に順に備え、ヒンジ部が丸棒として構成され、鍔部がヒンジ部の下部から径方向外側に突出する板状に構成され、取付部が鍔部の中心から下方に突出する雄ねじの形成された棒として構成され、取付部が上壁の上方から取付孔に挿入され、ナットが固定枠の裏側から取付部の雄ねじに装着されてヒンジピンが下前左突起部の上壁に取り付けられたことを特徴とする遊技機の固定枠。
【発明の詳細な説明】
【技術分野】
【０００１】
本発明は、ヒンジピンの交換が容易な遊技機の固定枠に関する。
【背景技術】
【０００２】
遊技機の固定枠には、遊技店の島と呼ばれる遊技機設置構造体に固定するために、アルミニウム合金またはマグネシウム合金などの軽金属を原料とし、前後方向に貫通する方形開口を囲む形状に形成されたものが知られている。このような形状の遊技機枠は、通常、パチンコ遊技機では、外枠、本体枠、固定枠などと呼ばれている。そして、パチンコ遊技機では、このような形状の遊技機枠に、遊技盤や制御装置などの遊技部品を取り付けるための可動枠がヒンジによって開閉可能に取り付けられる。この可動枠を取り付けるために遊技機枠に設けられるヒンジが、ヒンジピンとして構成された場合、ヒンジピンが遊技機枠にかしめ付けられている。このため、ヒンジピンが磨耗した場合、ヒンジピンを遊技店で交換することが難しいという欠点があった。
【特許文献１】特開２００４−１８８０６６号公報
【特許文献２】特開２００４−１９４７２５号公報
【発明の開示】
【発明が解決しようとする課題】
【０００３】
発明が解決しようとする問題点は、ヒンジピンが容易に交換できないという点である。
【課題を解決するための手段】
【０００４】
本発明に係る遊技機の固定枠は、アルミニウム合金またはマグネシウム合金などの軽金属を原料とし、前後方向に貫通する方形開口を囲む形状に形成された固定枠であって、固定枠の左下部には下前左突起部が設けられ、下前左突起部は前側に突出する弧状周壁と弧状周壁で囲まれた上部開口を塞ぐ上壁と弧状周壁で囲まれた下部開口を塞ぐ下壁とによって構成され、上壁には圧入孔が上下方向への貫通孔として設けられ、ヒンジピンがヒンジ部と鍔部および圧入部を上方から下方に順に備え、ヒンジ部が丸棒として構成され、鍔部がヒンジ部の下部から径方向外側に突出する板状に構成され、圧入部が鍔部の中心から下方に突出する棒として構成され、圧入部が上壁の上方から圧入孔に圧入され、鍔部の下面が上壁の上面に接触し、ヒンジ部が下前左突起部よりも上方に突出し、ヒンジピンが下前左突起部の上壁に取り付けられるか、または、上壁には圧入孔に代わる取付孔が上下方向への貫通孔として設けられ、ヒンジピンには圧入部に代わる取付部が設けられ、取付部には溝が設けられ、取付部が上壁の上方から取付孔に挿入された後、止輪が固定枠の裏側から溝に装着されてヒンジピンが下前左突起部の上壁に取り付けられるか、または、上壁には圧入孔に代わる取付孔が上下方向への貫通孔として設けられ、ヒンジピンには圧入部に代わる雄ねじの形成された取付部が設けられ、取付部が上壁の上方から取付孔に挿入された後、ナットが固定枠の裏側から取付部の雄ねじに装着されてヒンジピンが下前左突起部の上壁に取り付けられたことを最も主要な特徴とする。
【発明の効果】
【０００５】
本発明に係る遊技機の固定枠は、ヒンジピンが固定枠の下前左突起部に圧入または止輪またはナットによって取り付けられたことによって、ヒンジピンを固定枠の裏側から適切に交換することができるという利点がある。
【発明を実施するための最良の形態】
【０００６】
図１乃至図４は、発明を実施するための最良の形態である。図１のａ図は、固定枠１の下前左突起部４２とヒンジピン５０とを分解して前側から示す。図１のｂ図は、ヒンジピン５０が下前左突起部４２に取り付けられた断面を示す。図２のａ図は、固定枠１と化粧構造体７とを分解して前側から示す。図２のｂ図は、固定枠１を後側から示す。図３は、遊技機枠６１を分解して前側から示す。図４は、遊技機枠を前側から示す。本明細書において、「前」、「表」、「後」、「裏」、「左」、「右」、「上」、「下」の方向は、図３の状態に遊技機枠６１を置いて矢印Ｓで示す前側から見た場合に特定される方向である。「前」と「表」とは、同じ方向である。「後」と「裏」とは、同じ方向である。
【０００７】
図１を参照し、ヒンジピン５０が固定枠１に取り付けられる部分の構造について説明する。図１のａ図において、固定枠１の下前左突起部４２は、固定枠１を前側から見た場合の左下部に設けられ、固定枠１における幕板基部４１の裏面から前側に突出する弧状周壁４２ａと、弧状周壁４２ａで囲まれた上部開口を塞ぐ上壁４２ｂと、弧状周壁４２ａで囲まれた下部開口を塞ぐ下壁４２ｃとによって構成される。上壁４２ｂには、圧入孔４２ｄが上下方向への貫通孔として設けられる。ヒンジピン５０は、ヒンジ部５０ａ、鍔部５０ｂ、圧入部５０ｃを、上方から下方に順に備える。ヒンジ部５０ａは、丸棒として構成される。鍔部５０ｂは、ヒンジ部５０ａの下部から径方向外側に突出する板状に構成される。圧入部５０ｃは、鍔部５０の中心から下方に突出する棒として構成される。そして、圧入部５０ｃが上壁４２ｂの上方から圧入孔４２ｄに圧入されることによって、圧入部５０ｃが上壁４２ｂに締り嵌めに取り付けられる。このように圧入部５０ｃが上壁４２ｂに取り付けられる場合、図１のｂ図に示すように、鍔部５０ｂの下面が上壁４２ｂの上面に接触し、圧入部５０ｃがそれ以上圧入孔４２ｄに圧入されることがなく、ヒンジ部５０ａが下前左突起部４２よりも上方に突出する。これによって、ヒンジピン５０が、下前左突起部４２の上壁４２ｂに取り付けられる。したがって、下前左突起部４２に取り付けられたヒンジピン５０を交換する場合、固定枠１の裏側において、作業者が圧入部５０ｃを下方から上方にハンマーのような工具で叩いて上壁４２ｂより上方に取り外した後、新しいヒンジピン５０の圧入部５０ｃを上壁４２ｂの上方から圧入孔４２ｄに圧入することによって、ヒンジピン５０を適切に交換することができるという利点がある。
【０００８】
図２を参照し、固定枠１の構造について説明する。図２のａ図において、固定枠１は、上板部２、下板部３、左板部４、右板部５、幕板部６、化粧構造体７を備える。上板部２は、上板基部１０、上後左突起部１１、上前左突起部１２、上後右突起部１３、上前右突起部１４、取付孔１５、ヒンジ孔１６、リブ１７、検出取付部１８、図外の上不正防止部を備える。上板基部１０は、左右方向に長い帯板状として構成され、帯板状の板面を上下方向に向け、帯板状の端面を前後方向に向ける。上後左突起部１１は、上板部２の左端部から後側に突出する板状として、上板部２の左端部に設けられる。上前左突起部１２は、上板基部１０の左端部から前側に突出する板状として、上板基部１０の左端部に設けられる。上後右突起部１３は、上板基部１０の右端部から後側に突出する板状として、上板基部１０の右端部に設けられる。上前右突起部１４は、上板基部１０の右端部から前側に突出する板状として、上板基部１０の右端部に設けられる。取付孔１５は、固定枠１を遊技機設置構造体に取り付けるための孔であって、上下方向への貫通孔として、上板基部１０と上後左突起部１１および上後右突起部１３に設けられる。ヒンジ孔１６は、上下方向への貫通孔として、上前左突起部１２に設けられる。リブ１７は、上板基部１０と上後左突起部１１と上前左突起部１２と上後右突起部１３および上前右突起部１４にわたり、上板部２の外周縁を縁取るように、上板部２の外周縁から上方への突条として、上板部２に設けられる。検出取付部１８は、上板基部１０の右側に、上板基部１０の方形開口５３の側に位置する下面から上方に窪む溝として、上板基部１０に設けられる。検出取付部１８は、方形開口５３の側および前側に開口する。図外の上不正防止部は、上板基部１０と上後左突起部１１および上後右突起部１３にわたり、上板部２の方形開口５３の側に位置する内面から方形開口５３の側に突出する板状として、上板部２の内面に設けられ、左不正防止部３０および右不正防止部３７に繋がる。
【０００９】
図２のｂ図において、下板部３は、下板基部２１、下後左突起部２２、下後右突起部２３、取付孔２４、図外のリブを備える。下板基部２１は、左右方向に長い帯板状として構成され、帯板状の板面を上下方向に向け、帯板状の端面を前後方向に向ける。下後左突起部２２は、下板基部２１の左端部から後側に突出する板状として、下板基部２１の左端部に設けられる。下後右突起部２３は、下板基部２１の右端部から後側に突出する板状として、下板基部２１の右端部に設けられる。取付孔２４は、固定枠１を遊技機設置構造体に取り付けるための孔であって、上下方向への貫通孔として、下板基部２１と下後左突起部２２および下後右突起部２３に設けられる。上記リブは、下板基部２１と下後左突起部２２および下後右突起部２３にわたり、下板部３の外周縁を縁取るように、下板部３の外周縁から下方への突条として、下板部３に設けられる。
【００１０】
図２のａ図において、左板部４は、左板基部２７、左後上突起部２８、左後下突起部２９、左不正防止部３０、リブ３１を備える。左板基部２７は、上下方向に長い帯板状として構成され、帯板状の板面を左右方向に向け、帯板状の端面を前後方向に向ける。左後上突起部２８は、左板基部２７の上端部から後側に突出する板状として、左板基部２７の上端部に設けられる。左後下突起部２９は、左板基部２７の下端部から後側に突出する板状として、左板基部２７の下端部に設けられる。左不正防止部３０は、左板基部２７と左後上突起部２８および左後下突起部２９にわたり、左板部４の方形開口５３の側に位置する内面から方形開口５３の側に突出する板状として、左板部４の内面に設けられる。リブ３１は、左板基部２７と左後上突起部２８および左後下突起部２９にわたり、左板部４の外周縁を縁取るように、左板部４の外周縁から左方への突条として、左板部４に設けられる。
【００１１】
図２のｂ図において、右板部５は、右板基部３４、右後上突起部３５、右後下突起部３６、右不正防止部３７、掛止部３８、図外のリブを備える。右板基部３４は、上下方向に長い帯板状として構成され、帯板状の板面を左右方向に向け、帯板状の端面を前後方向に向ける。右後上突起部３５は、右板基部３４の上端部から後側に突出する板状として、右板基部３４の上端部に設けられる。右後下突起部３６は、右板基部３４の下端部から後側に突出する板状として、右板基部３４の下端部に設けられる。右不正防止部３７は、右板基部３４と右後上突起部３５および右後下突起部３６にわたり、右板部５の方形開口５３の側に位置する内面から方形開口５３の側に突出する板状として、右板部５の内面に設けられる。掛止部３８は、右後上突起部３５および右後下突起部３６の間において上下に分かれ、右板基部３４の後縁部から左側に突出する突起として、右板基部３４の後縁部に設けられる。上記リブは、右板基部３４と右後上突起部３５および右後下突起部３６にわたり、右板部５の外周縁を縁取るように、右板部５の外周縁から右方への突条として、右板部５に設けられる。
【００１２】
図２のａ図において、幕板部６は、幕板基部４１、下前左突起部４２、下前右突起部４３、上補強部４４、下補強部４５、下不正防止部４６、逃避部４７、除去部４８、化粧取付部４９、ヒンジピン５０を備える。幕板基部４１は、左右方向に長い帯板状として構成され、帯板状の板面を前後方向に向け、帯板状の端面を上下方向に向ける。下前左突起部４２は、幕板基部４１の左端部から前側に突出する半筒状として、幕板基部４１の左端部に設けられる。下前右突起部４３は、幕板基部４１の右端部から前側に突出する半筒状として、幕板基部４１の右端部に設けられる。下前右突起部４３は、幕板基部４１の裏面から前側に突出する弧状周壁と、弧状周壁で囲まれた上部開口を塞ぐ上壁と、弧状周壁で囲まれた下部開口を塞ぐ下壁とによって構成される。上補強部４４は、幕板基部４１の上端部から前側に突出する板状として、下前左突起部４２および下前右突起部４３に繋がり、幕板基部４１の上端部に設けられ、下補強部４５は、幕板基部４１の下端部から前側に突出する板状として、下前左突起部４２および下前右突起部４３に繋がり、幕板基部４１の下端部に設けられる。下不正防止部４６は、上補強部４４の後縁部から上方に突出し、左不正防止部３０および右不正防止部３７に繋がる。逃避部４７は、幕板基部４１の左端部から後側に突出する板状として、幕板基部４１の左端部に設けられる。除去部４８は、前後方向への貫通孔として、幕板基部４１の中央部に設けられる。化粧取付部４９は、下前左突起部４２の右隣および下前右突起部４３の左隣となるように、前後方向への貫通孔として、幕板基部４１に設けられる。ヒンジピン５０は、下前左突起部４２の上壁から上方に突出する丸棒として、下前左突起部４２の上壁に設けられる。
【００１３】
図２のａ図およびｂ図において、上後左突起部１１と左後上突起部２８とが互いに直交して繋がり、上後右突起部１３と右後上突起部３５とが互いに直交して繋がり、下後左突起部２２と左後下突起部２９とが互いに直交して繋がり、下後右突起部２３と右後下突起部３６とが互いに直交して繋がるように、上板部２と下板部３と左板部４および右板部５が前後方向に貫通する方形開口５３を囲むように互いに接続され、下前左突起部４２と左後下突起部２９とが互いに繋がり、下前右突起部４３と右後下突起部３６とが互いに繋がるように、幕板部６が方形開口５３の下部前側を塞ぐように下板部３と左板部４および右板部５に接続され、固定枠１が単一体として構成される。このように単一体として構成された固定枠１においては、上板部２および下板部３が互いに平行となるように上下方向で相対峙し、左板部４および右板部５が互いに平行となるように左右方向で相対峙し、方形開口５３の前部には、図外の上不正防止部、左不正防止部３０、右不正防止部３７、下不正防止部４６からなる不正防止が設けられる。
【００１４】
図２のａ図において、化粧構造体７は、化粧基部５６および係留突起５７を備える。化粧基部５６は、左右方向に長い帯板状として構成され、帯板状の板面を前後方向に向け、帯板状の端面を上下方向に向ける。係留突起５７は、左右に分かれて化粧基部５６に設けられ、化粧基部５６の裏面から裏側に突出する弾性片５８と、弾性片の後端部から横方向に突出した鉤部５９とにより構成される。そして、係留突起５７が固定枠１の前側から化粧取付部４９に挿入され、鉤部５９が幕板基部４１よりも後側に突出して幕板基部４１の裏面と対向して掛け止められることによって、化粧基部５６が幕板基部４１の前面を覆い隠し、幕板部６に取り付けられる。
【００１５】
固定枠１では、上板基部１０の前後方向の寸法が上後左突起部１１および上後右突起部１３よりも小さく、下板基部２１の前後方向の寸法が下後左突起部２２および下後右突起部２３よりも小さく、左板基部２７の前後方向の寸法が左後上突起部２８および左後下突起部２９よりも小さく、右板基部３４の前後方向の寸法が右後上突起部３５および右後下突起部３６よりも小さくなっているので、上板部２と下板部３と左板部４および右板部５が前後方向に貫通する方形開口５３を囲むように互いに接続された場合でも、上板部２と下板部３と左板部４および右板部５の結合強度が高く、固定枠１の全体的な軽量化および原料の減量化が図れるという利点がある。
【００１６】
上後左突起部１１と左後上突起部２８とが互いに直交して繋がり、上後右突起部１３と右後上突起部３５とが互いに直交して繋がり、下後左突起部２２と左後下突起部２９とが互いに直交して繋がり、下後右突起部２３と右後下突起部３６とが互いに直交して繋がるように、上板部２と下板部３と左板部４および右板部５が前後方向に貫通する方形開口５３を囲むように互いに接続されている。このため、単一体として構成された固定枠１を建物の床または貨物自動車の荷台または遊技店の島と呼ばれる遊技機設置構造体などの設置部に置いた場合、上後左突起部１１、上後右突起部１３、下後左突起部２２、下後右突起部２３、左後上突起部２８、左後下突起部２９、右後上突起部３５、右後下突起部３６のうちの複数個が、設置部の上に搭載される。
【００１７】
つまり、固定枠１の上板部２が設置部の上に搭載された場合、上板基部１０よりも前後方向の寸法が大きな上後左突起部１１および上後右突起部１３が設置部の上に搭載される。固定枠１の下板部３が設置部の上に搭載された場合、下板基部２１よりも前後方向の寸法が大きな下後左突起部２２および下後右突起部２３が設置部の上に搭載される。固定枠１の左板部４が設置部の上に搭載された場合、左板基部２７よりも前後方向の寸法が大きな左後上突起部２８および左後下突起部２９が設置部の上に搭載される。固定枠１の右板部５が設置部の上に搭載された場合、右板基部３４よりも前後方向の寸法が大きな右後上突起部３５および右後下突起部３６が設置部の上に搭載される。よって、固定枠１が設置部の上に安定した状態で搭載されるという利点がある。また、上板部２には上前左突起部１２および上前右突起部１４が設けられ、幕板部６には下前左突起部４２および下前右突起部４３が設けられているので、固定枠１の上板部２が設置部の上に搭載された場合、または、固定枠１の下板部３が設置部の上に搭載された場合、固定枠１が設置部の上に一層安定した状態で搭載されるという利点がある。
【００１８】
上板部２にはリブ１７が設けられ、下板部３には図外のリブが設けられ、左板部４にはリブ３１が設けられ、右板部５には図外のリブが設けられているので、固定枠１の全体的な軽量化と原料の減量化および強度向上が図れるという利点があるうえ、固定枠１が軽金属を原料として単一体に構成されて設置部の上に搭載されたまま動かされた場合でも、固定枠１におけるリブ１７；３１や上記図外のリブを除いた外面が設置部の上に接触していないので、固定枠１におけるリブ１７；３１や上記図外のリブを除いた外面に擦過傷のような損傷が付かないという利点がある。上板部２では、ヒンジ孔１６が上前左突起部１２に設けられ、ヒンジピン５０が下前左突起部４２に設けられ、上前左突起部１２および下前左突起部４２が上下部の塞がれた後側から前側に窪む半筒状に形成されているので、固定枠１の可動枠６２（図４参照）を支持する部分の強度が高くなるという利点があるうえ、固定枠１の全体的な軽量化と原料の減量化とが図れるという利点がある。上板部２には図外の上不正防止部が設けられ、左板部４には左不正防止部３０が設けられ、右板部５には右不正防止部３７が設けられ、幕板部６には下不正防止部４６が設けられているので、固定枠１に対し可動枠６２（図４参照）が閉じられた場合、遊技機枠６１（図４参照）の前側から、遊技者が不正を行うための不正操作部材を固定枠１と可動枠６２との合わせ部分から内部に挿入されないようにすることができるという利点がある。幕板部６には除去部４８が設けられているので、固定枠１の全体的な軽量化および原料の減量化が図れるという利点がある。幕板部６には、上補強部４４および下補強部４５が設けられているので、固定枠１の全体的な軽量化および原料の減量化が図れるという利点がある。
【００１９】
図３を参照し、固定枠１を用いた遊技機枠６１の構造について説明する。遊技機枠６１は、パチンコ遊技機またはスロットマシンなどの遊技機に使用可能な形態であって、固定枠１の前側に可動枠６２を開閉可能に備え、可動枠６２の前側に前扉６３および皿構造体６４を開閉可能に備える。固定枠１は、遊技機設置構造体に取り付けるための外枠とも呼ばれる。固定枠１の検出取付部１８には、開閉検出器６０が取り付けられる。開閉検出器６０は、可動枠６２が開放された場合に、開放検出信号を可動枠６２または図外の遊技盤に設けられた図外の制御装置に出力することによって、可動枠６２が不正に開放されたか否かを上記制御装置が判断するために、使用される検出器である。可動枠６２は、遊技盤や球払出機構および制御装置など遊技に必要な部品を取り付ける前枠とも呼ばれ、上ヒンジ６５および下ヒンジ６６を備える。上ヒンジ６５は、可動枠６２の左上部から前側に突出した上ヒンジブラケット６７の前部から上方に突出した丸棒として、ヒンジブラケット６７の前部に設けられる。下ヒンジ６６は、上下方向への貫通孔として、可動枠６２の左上部から前側に突出した下ヒンジブラケット６８の前部に設けられる。前扉６３および皿構造体６４は、個別に、左側に位置するヒンジ６９を中心とし、可動枠６２の前側で前側に開かれかつ後側に閉じられるように、片開き可能である。前扉６３は、パネル枠とも呼ばれ、前後方向に貫通する窓７０を囲む額縁形状である。前扉６３の裏面には、透視性パネル７１が設けられる。透視性パネル７１は、無色なガラスまたは無色な合成樹脂のような材料によって構成され、窓７０を覆う格好で、前扉６３に装着される。皿構造体６４は、球受皿部７２および球発射操作機構７３を、皿構造体６４の前面から前側に突出した形態に備える。球受皿部７２は、遊技に使用する球を受ける上側に開口した上側から下側に窪む容器である。球発射操作機構７３は、遊技者が球を発射するために操作するものである。
【００２０】
そして、可動枠６２の裏側が固定枠１の前側に向けられ、上ヒンジブラケット６７および下ヒンジブラケット６８が上前左突起部１２および下前左突起部４２との間に挿入されて、上ヒンジ６５がヒンジ孔１６の下方からヒンジ孔１６に嵌め込まれた後、可動枠６２が下降されるのに伴い、下ヒンジ６６がヒンジピン５０の上方からヒンジピン５０に嵌め込まれる。これによって、可動枠６２は、ヒンジ孔１６とヒンジピン５０と上ヒンジ６５および下ヒンジ６６とからなる左側に位置するヒンジを中心とし、固定枠１の前側で前側に開かれかつ後側に閉じられるように、片開き可能となって、図４に示すように、固定枠１の前側に開閉可能に取り付けられる。このように、ヒンジピン５０が下前左突起部４２に立設された状態で固定されたまま、下ヒンジ６６がヒンジピン５０に嵌め込まれるように、上ヒンジブラケット６７の上面から下ヒンジブラケット６８の下面までの間隔が、上前左突起部１２および下前左突起部４２の間の対向間隔よりも小さく設定されれば、ヒンジピン５０ががたつくことなく、可動枠６２が固定枠１に適切に取付けられる。
【００２１】
図４を参照し、可動枠６２と前扉６３および皿構造体６４の開閉動作について説明する。可動枠６２が閉じられて固定枠１に可動枠６２に設けられた図外のロック機構で開閉不能に支持され、前扉６３および皿構造体６４が閉じられて可動枠６２に前扉６３および皿構造体６４に設けられた図外のロック機構で開閉不能に支持された状態において、遊技店の店員が図外のキープレート（鍵）を遊技機枠６１の前側から可動枠６２の右側部に設けられた施錠装置７４の鍵穴に挿入し、当該キープレートを例えば右側に９０度回転操作すると、固定枠１と可動枠６２とのロック機構による支持形態が解除される。この支持形態の解除後に、店員が可動枠６２を前側に引くことによって、可動枠６２はヒンジ孔１６とヒンジピン５０と上ヒンジ６５および下ヒンジ６６とからなるヒンジを中心として前側に片開きされる。また、上記施錠装置７４の鍵穴に挿入されたキープレートが例えば左側に９０度回転操作されると、可動枠６２と前扉６３とのロック機構による支持形態が解除される。この支持形態の解除後に、店員が前扉６３を前側に引くことによって、前扉６３はヒンジ６９を中心として前側に片開きされる。このように、前扉６３が前側に開かれた状態において、店員が可動枠６２の右側部に設けられた図外のロック解除操作体を操作すると、可動枠６２と皿構造体６４とのロック機構による支持形態が解除される。この支持形態の解除後に、店員が皿構造体６４を前側に引くことによって、皿構造体６４はヒンジ６９を中心として前側に片開きされる。
【産業上の利用可能性】
【００２２】
図５は、異なる形態のヒンジピン５０が下前左突起部４２に取り付けられた断面を示す。図５において、固定枠１の下前左突起部４２における上壁４２ｂには、図１の圧入孔４２ｄに代わる取付孔４２ｅが上下方向への貫通孔として設けられる。ヒンジピン５０には、図１の圧入部５０ｃに代わる取付部５０ｄが設けられる。取付部５０ｄには溝５０ｅが設けられる。そして、取付部５０ｄが上壁４２ｂの上方から取付孔４２ｅに挿入された後、止輪５０ｆが固定枠１の裏側から溝５０ｅに装着されることによって、ヒンジピン５０が上壁４２ｂに取り付けられる。したがって、下前左突起部４２に取り付けられたヒンジピン５０を交換する場合、固定枠１の裏側において、作業者が止輪５０ｆを溝５０ｅより取り外し、取付部５０ｄを上壁４２ｂより上方に取り外した後、新しいヒンジピン５０の取付部５０ｄを上壁４２ｂの上方から取付孔４２ｅに挿入し、止輪５０ｆを新しいヒンジピン５０の溝５０ｅに装着することによって、ヒンジピン５０を適切に交換することができる。
【００２３】
図６は、別の異なる形態のヒンジピン５０が下前左突起部４２に取り付けられた断面を示す。図６において、ヒンジピン５０には、図１の圧入部５０ｃに代わる雄ねじの形成された取付部５０ｇが設けられる。そして、取付部５０ｇが上壁４２ｂの上方から取付孔４２ｅに挿入された後、ナット５０ｈが固定枠１の裏側から取付部５０ｇの雄ねじに装着されることによって、ヒンジピン５０が上壁４２ｂに取り付けられる。したがって、下前左突起部４２に取り付けられたヒンジピン５０を交換する場合、固定枠１の裏側において、作業者がナット５０ｈを取付部５０ｇの雄ねじより取り外し、取付部５０ｇを上壁４２ｂより上方に取り外した後、新しいヒンジピン５０の取付部５０ｇを上壁４２ｂの上方から取付孔４２ｅに挿入し、ナット５０ｈを新しいヒンジピン５０の雄ねじに装着することによって、ヒンジピン５０を適切に交換することができる。
【００２４】
上板部２、下板部３、左板部４、右板部５にリブ１７；３１や図外のリブを設けなくてもよい。幕板部６に除去部４８を設けなくてもよい。
【図面の簡単な説明】
【００２５】
【図１】ａ図は固定枠の下前左突起部とヒンジピンとの前側からの分解斜視図、ｂ図はヒンジピンを下前左突起部に取り付けた断面図（最良の形態）。
【図２】ａ図は固定枠と化粧構造体との前側からの分解斜視図、ｂ図は固定枠の後側からの斜視図（最良の形態）。
【図３】遊技機枠の前側からの分解斜視図（最良の形態）。
【図４】遊技機枠の前側からの斜視図（最良の形態）。
【図５】ヒンジピンを下前左突起部に取り付けた断面図（異なる第１形態）。
【図６】ヒンジピンを下前左突起部に取り付けた断面図（異なる第２形態）。
【符号の説明】
【００２６】
１      固定枠
４２    下前左突起部
４２ａ  弧状周壁
４２ｂ  上壁
４２ｄ  圧入孔
４２ｅ  取付孔
５０    ヒンジピン
５０ａ  ヒンジ部
５０ｂ  鍔部
５０ｃ  圧入部
５０ｄ  取付部
５０ｅ  溝
５０ｆ  止輪
５０ｇ  取付部
５０ｈ  ナット
【図１】
2007195649.tif 000003
【図２】
2007195649.tif 000004
【図３】
2007195649.tif 000005
【図４】
2007195649.tif 000006
【図５】
2007195649.tif 000007
【図６】
2007195649.tif 000008